(57)【要約】【課題】容易にかつ確実に作動させることができる止め具を提供する。【解決手段】止め具は係止具１と掛止具２とからなっている。係止具１は、本体３から突出片４を設けて突出片４には横方向にくぼみを設け、くぼみに摺動片６をはめている。摺動片６には磁石７を埋め込んでいる。掛止具２には、係止具１の突出片４がはまるくぼみ９を設け、摺動片６がはまる凹部１０をくぼみ９から設けている。凹部１０に隣接させて磁石１２を埋め込んでいる。図１に示す状態では、係止具１はフリーになっている。係止具１を前進させると、磁石７と磁石１２とが吸着し合うことで摺動片６が掛止具２の凹部１０内に引き込まれ、係止具１が外れなくなる。貫通穴１１から棒を差し込むなどして突出片４のくぼみ内へ摺動片６を押し込むと、係止具１を後退させることができるようになる。【選択図】図１
2006219964.tif 000002
【特許請求の範囲】
【請求項１】
係止具（１）と掛止具（２）とを備え、係止具（１）には掛止具（２）側へ突出する突出片（４）を設け、突出片（４）には突出する方向に見て横方向にくぼみを設け、くぼみ内に摺動片（６）をはめて摺動片（６）には磁石（７）を設け、また掛止具（２）には係止具（１）の突出片（４）がはまるくぼみ（９）を係止具（１）側から設け、突出片（４）をくぼみ（９）内にはめたときに突出片（４）の摺動片（６）が対応する位置において摺動片（６）がはまる凹部（１０）を設け、摺動片（６）が凹部（１０）内にはまったとき摺動片（６）の磁石（７）が対応する位置において磁石（７）と吸着し合う磁石（１２）を掛止具（２）に設けた止め具。
【請求項２】
摺動片（６）の磁石（７）及び掛止具（２）の磁石（１２）のどちらか一方を磁性体としたことを特徴とする、請求項１記載の止め具。
【請求項３】
係止具（１）と掛止具（２）とを備え、係止具（１）には掛止具（２）側へ突出する突出片（４）を設け、突出片（４）には突出する方向に見て横方向にくぼみを設け、くぼみ内に摺動片（６）をはめて摺動片（６）には磁石（７）を設け、磁石（７）に対応する位置において磁石（７）と吸着し合う保持磁石（８）を突出片（４）に設け、また掛止具（２）には係止具（１）の突出片（４）がはまるくぼみ（９）を係止具（１）側から設け、突出片（４）をくぼみ（９）内にはめたときに突出片（４）の摺動片（６）が対応する位置において摺動片（６）がはまる凹部（１０）を設け、摺動片（６）が凹部（１０）内にはまったとき摺動片（６）の磁石（７）が対応する位置において磁石（７）と吸着し合う磁石（１２）を掛止具（２）に設けた止め具。
【請求項４】
突出片（４）に設けた保持磁石（８）及び掛止具（２）に設けた磁石（１２）の両方又は一方を磁性体としたことを特徴とする、請求項３記載の止め具。
【請求項５】
摺動片（６）に設けた磁石（７）の代りに磁性体を用いたことを特徴とする、請求項３記載の止め具。
【請求項６】
掛止具（２）の凹部（１０）へと貫通する貫通穴（１１）を掛止具（２）の外部から設けたことを特徴とする、請求項１〜５のいずれかの項記載の止め具。
【発明の詳細な説明】
【技術分野】
【０００１】  本発明は、建具・家具・おもちゃ・服飾品・身の回り品・かばん・袋物・シートベルト等に広く利用することができる止め具に関するものである。
【背景技術】
【０００２】  建具・家具・おもちゃ・服飾品・身の回り品・かばん・袋物・シートベルト等に利用されている止め具としては、ばね・フック・掛け金・面ファスナー・磁石等を利用したいろいろなものが開発され使用されている。
【発明の開示】
【発明が解決しようとする課題】
【０００３】  前記従来のものには次のような欠点がある。例えば、ばねを利用したものでは、ばねを強くし過ぎると力の弱い者には作動がしにくくなることもある。弱くし過ぎると作動が不確実になったりする。また、長期間使用するうちにばねが弱くなり、同じく作動が完全にはいかなくなったりすることもある。ばね・フック・掛け金等を使ったもののうちには、突起物があったりしてデザイン的に好ましくないものもある。フック・掛け金・面ファスナー等を使用したもののうちには、止めるときに一回以上の余計な動作が必要となるものもある。これでは煩わしい。磁石を用いたものでは、磁気力だけで強い固定力を得るようにしているため、強い磁石を使用しなければならないこともある。強い磁石は大きくなりがちで高価になる。【０００４】  本発明が解決しようとする課題は、ほとんど力を使わずに容易にかつ確実に作動させることができ、弱い磁石を使っても強い固定力で固定することができ、固定力は時間が経過しても弱まることがなく、デザイン的にも問題のない止め具を提供する点にある。
【課題を解決するための手段】
【０００５】  請求項１に係る止め具は、係止具１と掛止具２とを備え、係止具１には掛止具２側へ突出する突出片４を設け、突出片４には突出する方向に見て横方向にくぼみを設け、くぼみ内に摺動片６をはめて摺動片６には磁石７を設け、また掛止具２には係止具１の突出片４がはまるくぼみ９を係止具１側から設け、突出片４をくぼみ９内にはめたときに突出片４の摺動片６が対応する位置において摺動片６がはまる凹部１０を設け、摺動片６が凹部１０内にはまったとき摺動片６の磁石７が対応する位置において磁石７と吸着し合う磁石１２を掛止具２に設けたものである。【０００６】  係止具１の突出片４のくぼみ内に摺動片６を収めた状態にしている間は、係止具１と掛止具２とがフリーになっている。突出片４を掛止具２のくぼみ９内へ挿入すると、摺動片６の磁石７と掛止具２の磁石１２とが吸着し合うことで摺動片６が掛止具２の凹部１０内へ引き込まれる。摺動片６が引っ掛って係止具１は外れなくなる。係止具１を外すには、突出片４のくぼみ内へ摺動片６を押し込む操作をする。摺動片６が押し込まれると、係止具１はフリーとなり、外れるようになる。【０００７】  請求項２に係る止め具は、摺動片６の磁石７及び掛止具２の磁石１２のどちらか一方を磁性体としたことを特徴とするものである。磁石の代りに磁性体を使用すると吸着力がやや劣ることになるが、劣っても作動に支障のない状況等の下ではこのようにしてもよい。このようにしても、請求項１に係るものと同様の作動となる。【０００８】  請求項３に係る止め具は、係止具１と掛止具２とを備え、係止具１には掛止具２側へ突出する突出片４を設け、突出片４には突出する方向に見て横方向にくぼみを設け、くぼみ内に摺動片６をはめて摺動片６には磁石７を設け、磁石７に対応する位置において磁石７と吸着し合う保持磁石８を突出片４に設け、また掛止具２には係止具１の突出片４がはまるくぼみ９を係止具１側から設け、突出片４をくぼみ９内にはめたときに突出片４の摺動片６が対応する位置において摺動片６がはまる凹部１０を設け、摺動片６が凹部１０内にはまったとき摺動片６の磁石７が対応する位置において磁石７と吸着し合う磁石１２を掛止具２に設けたものである。保持磁石８より磁石１２の方が磁力の強いものとする。【０００９】  摺動片６を突出片４のくぼみ内に収めた状態では摺動片６の磁石７と突出片４の保持磁石８とが吸着し合って摺動片６を保持している。このため、係止具１のフリーの状態を安定良く維持することができる。その他の作動は、請求項１に係るものと同様である。【００１０】  請求項４に係る止め具は、請求項３記載のものにおいて、突出片４に設けた保持磁石８及び掛止具２に設けた磁石１２の両方又は一方を磁性体としたことを特徴とするものである。このようにすると、請求項２に係るものと同様に吸着力がやや劣ることになるが、それで差し支えのない状況等の下ではこのようにしてもよい。【００１１】  請求項５に係る止め具は、請求項３記載のものにおいて、摺動片６に設けた磁石７の代りに磁性体を用いたことを特徴とするものである。請求項４に係るものについて述べた点が、ここにも当てはまる。【００１２】  請求項６に係る止め具は、請求項１〜５のい��れかの項記載のものにおいて、掛止具２の凹部１０へと貫通する貫通穴１１を掛止具２の外部から設けたことを特徴とするものである。係止具１を掛止具２に係止させた状態で、指等の適当な物を貫通穴１１に挿入して突出片４のくぼみ内に摺動片６を押し込むと、係止具１はフリーになる。
【発明の効果】
【００１３】  本発明に係る止め具おいては、係止具１の突出片４を掛止具２のくぼみ９に単に差し込むだけで後は磁力で自動的に係止できるので、力はほとんど必要とせず、操作は容易である。係止時は磁力で係止状態を維持するわけではないので、弱い磁石を使っても強い係止力で係止することができる。係止力は時間が経過しても弱まることがない。突出する部分がないので、デザイン的にも問題がない。
【発明を実施するための最良の形態】
【００１４】  本発明を実施するための最良の形態を図１、図２及び図３に基づいて説明する。図２は止め具の斜視図、図１は図２に示した止め具の中央を水平に切断した断面図、図３は図１に示したものの作動を示す断面図である。この止め具は、左側の係止具１と右側の掛止具２とからなっている。係止具１は、左端側を半円弧状に形成し残りを直方体に形成した本体３の右面中央から右方へ突出する直方体の突出片４を設けたものとしている。突出片４の幅及び厚さは本体３の幅及び厚さよりやや小さいものとしている。本体３の左端側の半円弧状の部分に円形の穴５を垂直方向にあけている。突出片４の右端寄りの位置において手前側から向う側へと直方形のくぼみを水平に設け、くぼみにちょうどはまる形状とした摺動片６をくぼみにはめている。摺動片６には手前側寄りの位置において右方から水平に磁石７を埋め込んでいる。磁石７に対応する位置において突出片４に保持磁石８を埋め込んでいる。【００１５】  掛止具２には、係止具１の突出片４がちょうどはまるくぼみ９を左方から設けている。そして、くぼみ９内に突出片４をはめたとき突出片４に設けた摺動片６がちょうどはまる位置において摺動片６がちょうはまる凹部１０をくぼみ９から前方へと設け、凹部１０から前方へと丸い貫通穴１１を設けている。摺動片６が凹部１０にはまったとき摺動片６の磁石７に対応する位置において掛止具２に磁石１２を埋め込んでいる。保持磁石８より磁石１２の方が磁力の強いものとする。掛止具２の右端側は半円弧状に形成し、半円弧状の部分において穴１３を垂直にあけている。【００１６】  以上のものは次のようにして作動させる。図１は掛止具２から係止具１をやや後退させ、係止具１の突出片４を掛止具２のくぼみ９内で後退させている。摺動片６の磁石７と突出片４の保持磁石８とが吸着し合っていることで、摺動片６は突出片４のくぼみ内に安定良く保持されている。係止具１はフリーになっている。係止具１を前進させ突出片４の全部を掛止具２のくぼみ９にはめた状態にすると、突出片４の磁石７と掛止具２の磁石１２とが吸着し合うことで摺動片６が掛止具２の凹部１０内に引き込まれ、図３に示す状態になる。摺動片６が引っ掛ることで係止具１が外れなくなる。掛止具２の貫通穴１１から棒１４を差し込むなどして突出片４のくぼみ内へ摺動片６を押し込むと、係止具１を後退させることができるようになる。なお、穴５・穴１３を利用して係止具１や掛止具２をそれぞれ所定の部材に連結することになる。【００１７】  以上に示した止め具は、建具・家具・おもちゃ・服飾品・身の回り品・かばん・袋物・シートベルト等に広く利用することができる。例えば、建具・家具等の引き戸の止め具とすることができる。バックル・シートベルト等の止め具とすることもできる。
【図面の簡単な説明】
【００１８】
【図１】発明を実施するための最良の形態を示す断面図である。
【図２】図１に示したものの斜視図である。
【図３】図１に示したものの作動を示す断面図である。
【符号の説明】
【００１９】  １    係止具
２    掛止具
４    突出片
６    摺動片
７    磁石
８    保持磁石
９    くぼみ
１０    凹部
１１    貫通穴
１２    磁石
【図１】
2006219964.tif 000003
【図２】
2006219964.tif 000004
【図３】
2006219964.tif 000005